(57)【要約】      （修正有）【課題】回転仕切体の断熱性を高めて省エネ性が高く、ソリや変形を抑制することができる冷蔵庫を提供することを目的とする。【解決手段】冷蔵庫本体に設けた冷蔵室を開閉する観音開き式扉と、観音開き式扉のいずれか一方の端部に設けた回転仕切体とを備え、回転仕切体は貯蔵室側外郭部材４７と外気側外郭部材４８との間に介在部材である軟質袋部材６４を介して発泡断熱材を充填して構成されたものであり、回転仕切体の断熱性を高めることができ、外気の熱侵入を効果的に抑制することができるとともに、貯蔵室側外郭部材４７と外気側外郭部材４８との間に備えた軟質袋部材６４により、回転仕切体用発泡断熱材と、回転仕切体を構成する貯蔵室側外郭部材４７と外気側外郭部材４８との接着強度を緩和し、回転仕切体の冷熱温度差によるソリや変形を抑制することができる。【選択図】図７
2018071930.tif 000002
【特許請求の範囲】
【請求項１】
冷蔵庫本体と、前記冷蔵庫本体に設けた冷蔵室およびこの冷蔵室を開閉する観音開き式の扉と、前記観音開き式の扉のいずれか一方の端部に設けた回転仕切体とを備え、前記回転仕切体は貯蔵室側外郭部材と外気側外郭部材との間に介在部材を介して発泡断熱材を充填して構成された冷蔵庫。
【請求項２】
前記介在部材は軟質袋部材で構成された請求項１に記載の冷蔵庫。
【請求項３】
前記介在部材は前記発泡断熱材注入用の開口孔および空気抜き用の開口孔を備えた請求項１または２に記載の冷蔵庫。
【請求項４】
前記貯蔵室側外郭部材に前記発泡断熱材注入用の注入孔および空気抜き用の空気抜き孔を備えた請求項１から３のいずれか一項に記載の冷蔵庫。
【請求項５】
前記回転仕切体内部の長手方向の端部に成形断熱部材を備えた請求項１から４のいずれか一項に記載の冷蔵庫。
【請求項６】
前記貯蔵室側外郭部材の外面に緩衝シートを備え、前記注入孔と前記空気抜き孔を前記緩衝シートで塞いだ請求項４または５に記載の冷蔵庫。
【発明の詳細な説明】
【技術分野】
【０００１】
本発明は高断熱性の回転仕切体を設置した観音開き式の扉を有する冷蔵庫に関するものである。
【背景技術】
【０００２】
一般に冷蔵庫は、扉によって開閉自在な冷蔵室、冷凍室、野菜室等を備えており、そのそれぞれの室は扉によって開閉自在となっているが、大型の冷蔵庫にあっては前記扉のうち冷蔵室の扉は観音開き式の扉となっている。そして、この観音開き式扉にはその左右いずれか一方に扉に扉開閉に連動して回動する回転仕切体を設け、扉閉止時に生じる扉端面同士間の隙間を塞いで気密を確保するようになっている。
【０００３】
ここで、上記回転仕切体は扉同士の間の隙間を介して直接外気と接しており、外気から冷蔵室への熱侵入経路ともなるので、断熱性を持つ構成としてある（例えば、特許文献１参照）。
【０００４】
図１２は上記特許文献１に記載された回転仕切体を示し、この回転仕切体１００は貯蔵室側外郭部材となる仕切板１０１と外気側外郭部材となる仕切枠体１０２との間に発泡スチロールからなる断熱材１０３を設けて構成してある。
【０００５】
また、回転仕切体の断熱性を向上するために、回転仕切体内部に発泡スチロールからなる断熱材１０３に代わり、発泡断熱材を充填させるものもある（例えば、特許文献２、３参照）
【先行技術文献】
【特許文献】
【０００６】
【特許文献１】特開２０１５−１２９６０５号公報
【特許文献２】特開２０１１−１１２２９０号公報
【特許文献３】特開２０１１−１７４６２５号公報
【発明の概要】
【発明が解決しようとする課題】
【０００７】
しかしながら、上記従来の冷蔵庫は、回転仕切体１００の断熱性で外気から冷蔵室内に熱が侵入するのを抑制できるが、発泡スチロールからなる断熱材１０３を用いているので、断熱性に関しては改善の余地が残るものであった。
【０００８】
また、回転仕切体の断熱性を向上するために、回転仕切体内部に発泡スチロールからなる断熱材１０３に代わり発泡断熱材を充填させる場合、回転仕切体を構成する外郭部材のシール性が悪いと発泡断熱材の漏れが生じたり、発泡断熱材と回転仕切体を構成する外郭部材とが強固に密着して、充填発泡後の本体設置時の庫外と庫内の温度差による発泡断熱材の部分的な収縮により、回転仕切体にソリや変形が生じるという課題を有している。
【０００９】
本発明はこのような点に鑑みてなしたもので、高い断熱性を持ち省エネ性が高く、回転仕切体の変形も抑制できる冷蔵庫を提供することを目的とする。
【課題を解決するための手段】
【００１０】
上記従来の課題を解決するために、本発明の冷蔵庫は、冷蔵庫本体と、前記冷蔵庫本体に設けた冷蔵室およびこの冷蔵室を開閉する観音開き式の扉と、前記観音開き式の扉のい
ずれか一方の端部に設けた回転仕切体とを備え、前記回転仕切体は貯蔵室側外郭部材と外気側外郭部材との間に介在部材を介して発泡断熱材を充填して構成されたものである。
【００１１】
これにより、回転仕切体の断熱性を高めることができ、外気の熱侵入を効果的に抑制することができるとともに、貯蔵室側外郭部材と外気側外郭部材との間に備えた介在部材により、発泡断熱材と、回転仕切体を構成する貯蔵室側外郭部材と外気側外郭部材との接着強度を緩和し、回転仕切体の冷熱温度差によるソリや変形を抑制することができる。
【発明の効果】
【００１２】
本発明の冷蔵庫は、回転仕切体の断熱性を高めることができるとともに、回転仕切体の冷熱温度差によるソリや変形を抑制することができるので、省エネ性と信頼性を高めた冷蔵庫を提供することができる。
【図面の簡単な説明】
【００１３】
【図１】本発明の実施の形態１における冷蔵庫の斜視図
【図２】同冷蔵庫の縦断面図
【図３】同冷蔵庫の観音開き式扉を開いた状態の斜視図
【図４】同冷蔵庫の観音開き式扉の一つを示す斜視図
【図５】（ａ）同冷蔵庫の観音開き式扉に設けた回転仕切体の外観斜視図、（ｂ）同回転仕切体の背面図
【図６】同冷蔵庫の観音開き式扉に設けた回転仕切体を示す分解斜視図
【図７】同冷蔵庫の観音開き式扉に設けた回転仕切体を示す他の分解斜視図
【図８】同冷蔵庫の観音開き式扉に設けた回転仕切体の発泡断熱材注入孔近傍の断面図
【図９】同冷蔵庫の観音開き式扉に設けた回転仕切体を示す図８のＢ部拡大図
【図１０】同冷蔵庫の観音開き式扉に設けた回転仕切体を示す図５（ｂ）のＡ−Ａ断面図
【図１１】（ａ）同冷蔵庫の観音開き式扉に設けた回転仕切体部分の他の例を示す断面図、（ｂ）同さらに他の例を示す断面図
【図１２】従来の冷蔵庫の観音開き式扉の要部を示す断面図
【発明を実施するための形態】
【００１４】
請求項１に記載の発明は、冷蔵庫本体と、前記冷蔵庫本体に設けた冷蔵室およびこの冷蔵室を開閉する観音開き式の扉と、前記観音開き式の扉のいずれか一方の端部に設けた回転仕切体とを備え、前記回転仕切体は貯蔵室側外郭部材と外気側外郭部材との間に介在部材を介して発泡断熱材を充填して構成されたものであり、回転仕切体の断熱性を高めることができ、外気の熱侵入を効果的に抑制することができるとともに、貯蔵室側外郭部材と外気側外郭部材との間に備えた介在部材により、発泡断熱材と、回転仕切体を構成する貯蔵室側外郭部材と外気側外郭部材との接着強度を緩和し、回転仕切体の冷熱温度差によるソリや変形を抑制することができる。
【００１５】
請求項２に記載の発明は、請求項１に記載の発明において、前記介在部材は軟質袋部材で構成されたものであり、回転仕切体内部への発泡断熱材の充填性を阻害することなく、発泡断熱材と、回転仕切体を構成する貯蔵室側外郭部材と外気側外郭部材との接着強度を緩和し、回転仕切体の冷熱温度差によるソリや変形を抑制することができる。
【００１６】
請求項３に記載の発明は、請求項１または２に記載の発明において、前記介在部材は前記発泡断熱材注入用の孔および空気抜き用の孔を備えたものであり、より確実に回転仕切体内部への発泡断熱材の充填性を高めることができる。
【００１７】
請求項４に記載の発明は、請求項１から３のいずれか一項に記載の発明において、前記貯蔵室側外郭部材に前記発泡断熱材注入用の注入孔および空気抜き用の空気抜き孔を備えたものであり、簡素な構造で回転仕切体内部への発泡断熱材の充填性を高めることができる。
【００１８】
請求項５に記載の発明は、請求項１から４のいずれか一項に記載の発明において、前記回転仕切体内部の長手方向の端部に成形断熱部材を備えたものであり、複雑な構造を有する部分は成形断熱部材で確実に断熱性を確保しながら、回転仕切体内部への発泡断熱材の充填性を高めることができる。
【００１９】
請求項６に記載の発明は、請求項４または５に記載の発明において、前記貯蔵室側外郭部材の外面に緩衝シートを備え、前記注入孔と前記空気抜き孔を前記緩衝シートで塞いだものであり、回転仕切体の断熱性を高め、冷熱温度差によるソリや変形を抑制した上で、回転仕切体の動作回転時の扉面との衝突時の音や振動による不具合を抑制することができる。
【００２０】
以下、本発明の実施の形態について、図面を参照しながら説明する。なお、この実施の形態によって本発明が限定されるものではない。
【００２１】
（実施の形態１）
図１は本発明の実施の形態１における冷蔵庫の斜視図、図２は同冷蔵庫の縦断面図、図３は同冷蔵庫の観音開き式扉を開いた状態の斜視図、図４は同冷蔵庫の観音開き式扉の一つを示す斜視図、図５（ａ）は同冷蔵庫の観音開き式扉に設けた回転仕切体の外観斜視図、（ｂ）は同回転仕切体の背面図、図６は同冷蔵庫の観音開き式扉に設けた回転仕切体を示す分解斜視図、図７は同冷蔵庫の観音開き式扉に設けた回転仕切体を示す他の分解斜視図、図８は同冷蔵庫の観音開き式扉に設けた回転仕切体の発泡断熱材注入孔近傍の断面図、図９は同冷蔵庫の観音開き式扉に設けた回転仕切体を示す図８のＢ部拡大図、図１０は図５（ｂ）のＡ−Ａ断面図、図１１（ａ）は同冷蔵庫の観音開き式扉に設けた回転仕切体部分の他の例を示す断面図、（ｂ）同さらに他の例を示す断面図である。
【００２２】
（１．冷蔵庫の全体構成）
まず図１〜図４を用いて冷蔵庫の全体構成を説明すると、本実施の形態に係る冷蔵庫は、前方を開口した冷蔵庫本体１を備えている。この冷蔵庫本体１は金属製の外箱２と、硬質樹脂製の内箱３と、前記外箱２および内箱３の間に発泡充填した発泡断熱材４とで構成してあり、仕切板５、６等によって複数の貯蔵室が仕切形成してある。また、前記冷蔵庫本体１の各貯蔵室は冷蔵庫本体１と同様の断熱構成を採用した観音開き式扉７と引出し式の扉８、９、１０、１１で開閉自在としてある。
【００２３】
冷蔵庫本体１内に形成した貯蔵室は、最上部の冷蔵室１４と、冷蔵室１４の下に設けた温度帯切り替え可能な切替室１５及びその横に設けた製氷室１６と、切替室１５及び製氷室１６と最下部の野菜室１７との間に設けた冷凍室１８で構成している。
【００２４】
また、冷蔵庫本体１の冷凍室１８背面には冷却室１９が設けてあり、この冷却室１９には冷気を生成する冷却器２０と、冷気を前記各室に供給する冷却ファン２１とが設置してある。そして更に冷却器２０の下方にはガラス管ヒータ等で構成した除霜手段２２（以下、ガラス管ヒータと称す）が設けてある。
【００２５】
冷却器２０は、圧縮機２３と、コンデンサ（図示せず）と、放熱用の放熱パイプ（図示せず）と、キャピラリーチューブ（図示せず）とを環状に接続して冷凍サイクルを構成しており、圧縮機２３によって圧縮された冷媒の循環によって冷却を行う。
【００２６】
また、冷却ファン２１は冷却器２０の上方に設けてあり、その下流側に連なる冷蔵室ダクト２４、冷凍室ダクト２５、野菜室ダクト（図示せず）を介して冷蔵室１４、冷凍室１８、野菜室１７等に冷気を供給し、これら各室を冷却するようになっている。
【００２７】
冷蔵室１４は、冷蔵庫本体１の最上部に位置していて、図３に示すように複数の棚板２７を着脱自在に設けて冷蔵室内空間を上下複数の空間に仕切るとともに、図２に示すように下部に二つの低温貯蔵室、例えばパーシャルフリーザ室２８とチルド室２９が上下二段に重ねて設けてある。
【００２８】
なお、上記冷蔵室１４は、凍らない程度の１〜５℃に冷却され、冷蔵室内のパーシャルフリーザ室２８は微凍結保存に適した−２〜−３℃、チルド室２９は冷蔵室１４よりも低くパーシャルフリーザ室２８よりは若干高めの１℃前後の温度に冷却されるようになっている。
【００２９】
上記冷蔵室１４の扉は、第一扉７１と第二扉７２からなる観音開き式扉７となっていて、それぞれ冷蔵庫本体１に扉ヒンジ１３で回動自在に軸支してあり、例えば図４に示すように、樹脂製の扉内枠３１、この扉内枠３１同様樹脂で構成した扉外周枠３２、扉表面を構成するガラス板等の透明外装板３３（図４参照）で囲った空間部分に硬質発泡ウレタン等の扉用発泡断熱材３４を充填して構成してある。
【００３０】
そして、上記観音開き式扉７の一方、この例では幅の狭い第一扉７１の遊端側に、扉閉止時に生じる第一扉７１及び第二扉７の扉端面同士間の隙間を閉塞する短冊状の細長い回転仕切体３５が設けてあり、もう一方の幅広い第二扉７２には図１に示すようにその下部に冷蔵庫の運転状態等を表示する表示部３６が設けてある。そして更に、上記観音開き式扉７には図５に示すようにその第一扉７１と第二扉７２を利用して扉開閉を検出する扉スイッチ３７が図１に示すように扉上部に組み込んである。
【００３１】
（２．回転仕切体の構成）
次に、上記観音開き式扉７に設けた回転仕切体構成について説明する。
【００３２】
この回転仕切体３５は既述したように観音開き式扉７の第一扉７１に設けてある。具体的には回転仕切体３５の上下部分をヒンジ部材４６によって第一扉７１の第一扉内枠３１ａ内面に軸支してあり、第一扉７１の開閉に連動して回転動作するように構成してある。
【００３３】
上記回転仕切体３５は、図１０等に示すように、貯蔵室側外郭部材４７の開口部分と外気側外郭部材４８の開口部分とを嵌合させて中空状に構成し、その中空状部の上端部分に発泡スチロールからなる成形断部熱材４９（図６、７参照）を組み込むとともに、残りの大部分には発泡ウレタン等の回転仕切体用発泡断熱材５０を充填して構成するが、回転仕切体３５の外郭を構成する貯蔵室側外郭部材４７と外気側外郭部材４８との間に介在部材である軟質袋部材６４を介して回転仕切体用発泡断熱材５０を充填して構成している。
【００３４】
貯蔵室側外郭部材４７と外気側外郭部材４８は何れも熱伝導性の低い樹脂で形成してあり、図１０等に示すように、そのいずれか一方、この例では貯蔵室側外郭部材４７の開口端縁は、内壁４７ａおよび外壁４７ｂからなる二重壁とし、この二重壁の内壁４７ａおよび外壁４７ｂ間の凹状溝部５１に他方の外気側外郭部材４８の開口縁部４８ａを嵌合させて貯蔵室側外郭部材４７と外気側外郭部材４８とを結合してある。なお、内壁４７ａの高さは外壁４７ｂより高く設定されている。
【００３５】
貯蔵室側外郭部材４７には図５から図７に示すようにその長手方向略中央部に発泡ウレ
タンを注入する注入孔５２と長手方向端部付近に空気抜き孔５３が形成してある。
【００３６】
貯蔵室側外郭部材４７の内面には金属製の回転仕切体補強板５５が設けてあり、図１０等に示すように爪５６によって貯蔵室側外郭部材４７の内面に固定してある。
【００３７】
回転仕切体補強板５５はその長手方向全域に渡って複数の孔５７が分散形成してあり、貯蔵室側外郭部材４７に設けた注入孔５２に対向する部分には孔６６を備えている。また、空気抜き孔５３に対向して孔５７を有している。
【００３８】
貯蔵室側外郭部材４７の注入孔５２と回転仕切体補強板５５の孔６６の間にはリング状のシールフォーム６９、および、空気抜き孔５３と孔５７との間には矩形状のシールフォーム７０を有して、貯蔵室側外郭部材４７と回転仕切体補強板５５とは爪５６によって固定される。
【００３９】
回転仕切体３５の外郭を構成する貯蔵室側外郭部材４７と外気側外郭部材４８との空間に介在する軟質袋部材６４は、貯蔵室側外郭部材４７の注入孔５２と回転仕切体補強板５５の孔６６に対向して開口孔６５が設けられている。
【００４０】
回転仕切体補強板５５の孔６６と軟質袋部材６４の開口孔６５の間には両面接着剤６７を介して軟質袋部材６４が回転仕切体補強板５５に固定される。また、軟質袋部材６４の端部近傍も両面接着剤６８を介して回転仕切体補強板５５に固定される。
【００４１】
両面接着剤６７の中央部は空隙を有し、注入孔５２から回転仕切体用発泡断熱材５０を充填する際に、確実に軟質袋部材６４内に回転仕切体用発泡断熱材５０が充填される。
【００４２】
なお、軟質袋部材６４の端部には空気抜き用の開口孔を備え、シールフォーム７０を介して貯蔵室側外郭部材４７の空気抜き孔５３から回転仕切体用発泡断熱材５０の充填発泡時の不要な空気が外部に排出される。
【００４３】
貯蔵室側外郭部材４７に形成された注入孔５２は、図９に示すように、貯蔵室側外郭部材４７の平面部から内部空間側に凹んだ段差部７３を備え、その段差部７３から内側にフランジ部７４を形成している。
【００４４】
これにより、発泡ウレタン注入後の注入孔５２近傍の残留する発泡ウレタンを内部空間側に凹んだ段差部で吸収することができ、空気抜き孔５３を閉塞する緩衝シート５４を確実に平面状に貼り付けることができる。
【００４５】
同様に、空気抜き孔５３も貯蔵室側外郭部材４７の平面部から内部空間側に凹んだ段差部を備え、その段差部に空気抜き孔５３を形成してもよい。
【００４６】
外気側外郭部材４８の内面には第一扉７１、第二扉７２の内周面のガスケット７１ａ、７２ａと対向する回転仕切体マグネット５８とともに結露防止用ヒータ５９が設けてある。
【００４７】
結露防止用ヒータ５９は上側のヒンジ部材４６の軸支部４６ａ内を通して回転仕切体３５内に配線してあり、その軸支部４６ａには上側の発泡スチロールからなる成形断熱部材４９の途中付近までの長さの筒状部材６０を嵌装し、この筒状部材６０内を通して発泡断熱材充填域へと配線してある。
【００４８】
結露防止用ヒータ５９および回転仕切体マグネット５８は回転仕切体用発泡断熱材５０
を充填する空間である外気側外郭部材４８の内面に予めテープ６１（図１０等参照）により貼り付け固定してあり、外気側外郭部材４８の内面のほぼ全域をテープ６１によって覆ってある。
【００４９】
回転仕切体３５の上端部はキャップ６２（図６参照）で覆うとともに、下端部は貯蔵室側外郭部材４７の開口下辺と外気側外郭部材４８の開口下辺との嵌合によって閉塞してある。
【００５０】
回転仕切体３５の内部に回転仕切体用発泡断熱材５０を充填発泡後、貯蔵室側外郭部材４７の貯蔵室側面に注入孔５２と空気抜き孔５３を閉塞する如く弾力性を有する緩衝シート５４が貼り付けてある。
【００５１】
以上のように構成した冷蔵庫について、次にその作用効果について説明する。
【００５２】
冷凍サイクルを構成する圧縮機２３で冷媒が圧縮され、コンデンサで放熱し、キャピラリーチューブで減圧され、冷却器２０で生成された冷気は、冷却ファン２１からダクトを介して冷蔵庫本体１内の冷蔵室１４、切替室１５、製氷室１６、野菜室１７、冷凍室１８に供給され、所定の温度に冷却される。
【００５３】
冷蔵室１４の扉は、第一扉７１と第二扉７２からなる観音開き式扉７となっていて、それぞれ冷蔵庫本体１に扉ヒンジ１３で回動自在に軸支している。
【００５４】
冷蔵庫の観音開き式扉７の第一扉７１に軸支した回転仕切体３５は、貯蔵室側外郭部材４７と外気側外郭部材４８との間に介在部材である軟質袋部材６４を介して回転仕切体用発泡断熱材５０を充填して構成しているので、従来の発泡スチロールを断熱材としているものに比べその断熱性は格段に高いものとなる。よって、回転仕切体３５を介して冷蔵室１４内に侵入しようとする外気熱を強力かつ効果的に抑制することができる。
【００５５】
また、回転仕切体３５は上下に細長く回転仕切体用発泡断熱材５０を充填した際、従来の構成では、その発泡圧によって貯蔵室側外郭部材４７と外気側外郭部材４８とが嵌合している部分から回転仕切体用発泡断熱材５０が漏出しやすい課題を有しているが、本実施の形態では、回転仕切体３５は貯蔵室側外郭部材４７と外気側外郭部材４８との間に介在部材である軟質袋部材６４を介して回転仕切体用発泡断熱材５０を充填して構成しているので、貯蔵室側外郭部材４７と外気側外郭部材４８とが嵌合している部分からの回転仕切体用発泡断熱材５０の漏れを確実に抑制することができ、断熱性を高めた回転仕切体３５を得ることができる。
【００５６】
さらに、貯蔵室側外郭部材４７と外気側外郭部材４８との間に備えた介在部材である軟質袋部材６４により、回転仕切体用発泡断熱材５０と、回転仕切体３５を構成する貯蔵室側外郭部材４７と外気側外郭部材４８との接着強度を緩和し、回転仕切体３５の冷熱温度差によるソリや変形を抑制することができる。
【００５７】
また、貯蔵室側外郭部材４７の注入孔５２と回転仕切体補強板５５の孔６６の間にはリング状のシールフォーム６９、および、空気抜き孔５３と孔５７との間には矩形状のシールフォーム７０を有して、貯蔵室側外郭部材４７と回転仕切体補強板５５とは爪５６によって固定されるので、軟質袋部材６４を介して、より確実に回転仕切体３５内部へ回転仕切体用発泡断熱材５０の充填性を高めることができる。
【００５８】
また、回転仕切体３５の外郭を構成する貯蔵室側外郭部材４７と外気側外郭部材４８との空間に介在する軟質袋部材６４は、貯蔵室側外郭部材４７の注入孔５２と回転仕切体補
強板５５の孔６６に対向して開口孔６５が設けられ、回転仕切体補強板５５の孔６６と軟質袋部材６４の開口孔６５の間には両面接着剤６７を介して軟質袋部材６４が回転仕切体補強板５５に固定されるので、軟質袋部材６４を介して、より確実に回転仕切体３５内部へ回転仕切体用発泡断熱材５０の充填性を高めることができる。
【００５９】
また、上記回転仕切体３５はその上下部分をヒンジ部材４６で第一扉７１に枢結するとともに、ヒンジ部材４６の設置部分には発泡スチロールからなる成形断熱部材４９を設けてあるので、複雑な構造となるヒンジ部材４６の軸支部や結露防止用ヒータ５９のハーネス接続部などの近傍を成形断熱部材４９で構成することで、貯蔵室側外郭部材４７と外気側外郭部材４８との空間を簡素な構造にでき、軟質袋部材６４を簡素な矩形形状としたものとすることができ、ヒンジ部材４６近傍の回転仕切体用発泡断熱材５０の漏れや、充填不足を解消することができる。これにより、回転仕切体３５の回転動作を安定したものとすることができる。
【００６０】
また、筒状部材６０は内部にヒンジ部材４６の軸支部を介して回転仕切体３５内に引き込んだ結露防止用ヒータ５９を通しているので、筒状部材６０内ではその伸縮等の動きを自由に行うことができ、回転仕切体用発泡断熱材５０を充填していても結露防止用ヒータ５９のねじれ等による断線を引き起こすようなことを防止できる。
【００６１】
さらに、回転仕切体３５は回転仕切体用発泡断熱材５０を充填した区域では外気側外郭部材４８の内面に回転仕切体マグネット５８を貼り付けて表面をテープ６１で覆っているので、介在部材である軟質袋部材６４に加えて、回転仕切体用発泡断熱材５０が外気側外郭部材４８と回転仕切体マグネット５８との間に入り込むのを確実に防止でき、発泡断熱材の入り込みによる磁力低下を防止できる。その結果、回転仕切体３５による冷蔵室１４の密閉を確実かつ良好なものとすることができ、外気熱の侵入をより効果的に抑制して省エネ性を高めることができる。
【００６２】
また、回転仕切体３５は貯蔵室側外郭部材４７の内面に金属製の回転仕切体補強板５５を設けた構成としてあるから、回転仕切体用発泡断熱材５０の熱収縮によって生じる変形を防止でき、扉閉止時における密閉性をより高いものとして省エネ性を更に向上させることができる。
【００６３】
また、回転仕切体３５内の回転仕切体用発泡断熱材５０は軟質袋部材６４を介して回転仕切体補強板５５に接しているので、回転仕切体用発泡断熱材５０と回転仕切体補強板５５とは間接的な接触となり、回転仕切体用発泡断熱材５０の熱収縮によって生じる回転仕切体補強板５５の直接的な変形を抑制できる。
【００６４】
また、回転仕切体補強板５５は貯蔵室側外郭部材４７に設けた回転仕切体用発泡断熱材の注入孔５２と空気抜き孔５３に対向する孔を含めその長手方向に複数の孔５７を形成してあるから、貯蔵室側外郭部材４７に設けた注入孔５２から軟質袋部材６４内に充填する回転仕切体用発泡断熱材５０の注入を可能としつつ回転仕切体補強板５５の軽量化を図ることができる。その結果、回転仕切体３５自体も軽量化でき、回転仕切体３５の回転動作が安定するとともに、回転時に生じる回転仕切体３５の慣性力が軽減するので衝突音等もより少ないものになる。
【００６５】
また、上記回転仕切体３５は方形状としてあるので、その左右全域に渡って良好な断熱効果を発揮するようになり、断熱効果を高めることができる。
【００６６】
また、回転仕切体３５は貯蔵室側外郭部材４７の貯蔵室側面に緩衝シート５４を装着してあるので、回転仕切体３５が第一扉７１の内面側に回転して第一扉内枠３１ａの縦壁面
に衝突してもその衝突音や振動を抑制することができる。したがって、第一扉７１の開成に連動して回転仕切体３５が回転しても衝突音や振動を感じにくい使い勝手を高めた冷蔵庫を提供することができる。
【００６７】
また、緩衝シート５４は貯蔵室側外郭部材４７の貯蔵室側面の長手方向に亘って設けてあるので、この注入孔５２や空気抜き孔５３を覆い隠し、貯蔵室側外郭部材４７の貯蔵室側面をすっきりとしたものにすることができる。
【００６８】
また、図１１（ａ）（ｂ）に示すように回転仕切体３５の回転遊端側と第二扉７２の内面縦壁との間に柔軟な補助シール部材６３を設けておくことによって、回転仕切体３５の回転軌跡によって生じる隙間Ｔを前記補助シール部材６３によって閉塞することができる。これにより、回転仕切体遊端と扉縦壁内面との間の隙間から外気が侵入するのをより確実に防止することができ、更に省エネ性を高めることができる。
【００６９】
なお、本実施の形態では、回転仕切体３５の外郭を構成する貯蔵室側外郭部材４７と外気側外郭部材４８との間に介在する介在部材を軟質袋部材６４で説明したが、介在部材はこれに限定されるものではなく、例えば、ブロー成形部材や離型材塗布、離型テープ等の貼付でも可能である。
【００７０】
また、本実施の形態では、回転仕切体内部にマグネット５８を埋設したもので説明したが、これは、貯蔵室側外郭部材４７および外気側外郭部材４８を熱伝導性の低い樹脂で形成することを前提とした為である。すなわち、扉側のマグネットを備えたガスケットが回転仕切体に確実に吸着し、シール性を確保するために回転仕切体内部にマグネット５８を埋設したものであるが、これに限定されることなく、回転仕切体内部にマグネット５８を用いずに着磁性のある鉄板を貯蔵室側外郭部材としたものでもよい。
【００７１】
この場合、回転仕切体内部のマグネット配置空間部分を軟質袋部材６４を介して回転仕切体用発泡断熱材５０で充填することができ、断熱性の向上と回転仕切体３５の強度を高めることができる。この場合、貯蔵室側外郭部材に鉄板を用いることで貯蔵室側外郭部材４７に設けた回転仕切体補強板５５も不要、あるいは薄肉化することができ、断熱性と強度とコストの最適バランスを図ることができる。
【００７２】
また、本実施の形態では、回転仕切体３５の上端部のヒンジ部材近傍には発泡スチロールからなる成形断熱部材４９を設けたもので説明したが、これに限定されるものではなく、回転仕切体３５の上下端部のヒンジ部材近傍も含めて回転仕切体３５内部のほぼ全域に軟質袋部材６４を介して回転仕切体用発泡断熱材５０を充填する仕様としてもよい。
【００７３】
この場合、発泡ウレタンの充填率向上による断熱性能向上、強度向上、発泡スチロールからなる成形断熱部材４９の不要によるコストダウン等の効果を得ることができる。
【００７４】
以上、本発明に係る冷蔵庫について、上記実施の形態を用いて説明したが、本発明は、これに限定されるものではない。すなわち、今回開示された実施の形態はすべての点で例示であって制限的なものではないと考えられるべきである。つまり、本発明の範囲は上記した説明ではなくて特許請求の範囲によって示され、特許請求の範囲と均等の意味及び範囲内でのすべての変更が含まれることが意図される。
【産業上の利用可能性】
【００７５】
本発明は、回転仕切体の断熱性を高めることができるとともに、回転仕切体の冷熱温度差によるソリや変形を抑制することができるので、回転仕切体を備えた家庭用および業務用など様々な種類および大きさの冷蔵庫に適用することができる。
【符号の説明】
【００７６】
１  冷蔵庫本体
２  外箱
３  内箱
４  発泡断熱材
５、６  仕切板
７  観音開き式扉
８、９、１０、１１  扉
１２  扉ヒンジ部
１４  冷蔵室
１５  切替室
１６  製氷室
１７  野菜室
１８  冷凍室
１９  冷却室
２０  冷却器
２１  冷却ファン
２３  圧縮機
２４  冷蔵室ダクト
２５  冷凍室ダクト
２７  棚板
２８  パーシャルフリーザ室
２９  チルド室
３１  扉内枠
３１ａ  第一扉内枠
３１ｂ  第二扉内枠
３２  扉外周枠
３４  扉用発泡断熱材
３５  回転仕切体
３６  表示部
４６  ヒンジ部材
４６ａ  軸支部
４７  貯蔵室側外郭部材
４７ａ  内壁
４７ｂ  外壁
４８  外気側外郭部材
４８ａ  開口縁部
４９  成形断熱部材
５０  回転仕切体用発泡断熱材
５１  凹状溝部
５２  注入孔
５３  空気抜き孔
５４  緩衝シート
５５  回転仕切体補強板
５６  爪
５７、６６  孔
５８  回転仕切体マグネット
５９  結露防止用ヒータ
６０  筒状部材
６１  テープ
６２  キャップ
６４  軟質袋部材（介在部材）
６５  開口孔
６７、６８  両面接着剤
６９、７０  シールフォーム
７１  第一扉
７２  第二扉
７１ａ、７２ａ  ガスケット
７３  段差部
７４  フランジ部
【図１】
2018071930.tif 000003
【図２】
2018071930.tif 000004
【図３】
2018071930.tif 000005
【図４】
2018071930.tif 000006
【図５】
2018071930.tif 000007
【図６】
2018071930.tif 000008
【図７】
2018071930.tif 000009
【図８】
2018071930.tif 000010
【図９】
2018071930.tif 000011
【図１０】
2018071930.tif 000012
【図１１】
2018071930.tif 000013
【図１２】
2018071930.tif 000014